(57)【要約】【課題】間仕切り壁パネルにおいて、パネル枠から一定間隔を開けて下地材をパネル枠に固定する。【解決手段】垂直片１０と水平片１１とが一端において連結された断面略Ｌ字型の形状を有するパネル枠引っ掛け部７と、パネル枠引っ掛け部から垂直片に平行に垂設された隙間保持部８と、パネル枠引っ掛け部の水平片に平行に配置された下地材押さえ部９とを備えている。【選択図】図１
2007118101.tif 000002
【特許請求の範囲】
【請求項１】
垂直片と水平片とが一端において連結された断面略Ｌ字型の形状を有するパネル枠引っ掛け部と、パネル枠引っ掛け部から前記垂直片に平行に垂設された隙間保持部と、パネル枠引っ掛け部の水平片に平行に配置された下地材押さえ部とを備えていることを特徴とする間仕切り壁パネル製造治具。
【請求項２】
請求項１記載の間仕切り壁パネル製造治具を用いて下地材をパネル枠に固定する間仕切り壁パネルの製造方法であって、パネル枠にパネル枠引っ掛け部を引っ掛けて配置し、下地材の端縁を隙間保持部に当接させ、隙間保持部をパネル枠と下地材とにより挟持するように下地材をパネル枠に配置し、パネル枠と下地材との間に隙間を形成させ、下地材の上に下地材押さえ部を配置して下地材を押さえ、間仕切り壁パネル製造治具を挟んだ両側においてタッカーを斜めに打ち込み、下地材をパネル枠に固定し、固定後、間仕切り壁パネル製造治具を取り外すことを特徴とする間仕切り壁パネルの製造方法。
【発明の詳細な説明】
【技術分野】
【０００１】
本願発明は、パネル枠に補強用の下地材を固定する際に用いられる間仕切り壁パネル製造治具とこの間仕切り壁パネル製造治具を用いて間仕切り壁パネルを製造する間仕切り壁パネルの製造方法に関する。
【背景技術】
【０００２】
間仕切り壁パネルでは、インターホン、電気コンセント等の各種機器や手摺などを取り付ける際の取付強度が十分となるように、パネル枠に取り付けられる石膏ボード等の面材の裏に合板等の下地材を重合させて配設している。
【０００３】
下地材の配設はたとえば次のようにして行われる。
【０００４】
図７に示したように、パネル枠１に面材２が先に取り付けられている場合には、下地材３をパネル枠１の内部に挿入し、面材２に面接触させて配置する。この時、下地材３は、端部がパネル枠１から内側に所定間隔離れるように配置され、下地材３とパネル枠１との間に隙間ｃが形成されるようにする。この状態においてタッカー４を斜めに打ち込み、下地材３をパネル枠１に固定する。
【０００５】
また、図８に示したように、面材が後で取り付けられる場合には、下地材３の厚み分高さを低くした桁材５をすでに配設されている面材２の上に配置して固定し、桁材５の上に下地材３を配置する。桁材５はパネル枠１に寄せて固定され、下地材３は固定された桁材５の上に載せられる。下地材３を桁材５の上に載せる時にも、下地材３は、端部がパネル枠１から内側に所定間隔離れるように配置される。そして、タッカー４を斜めに打ち込み、下地材３をパネル枠１に固定する。
【０００６】
しかしながら、いずれの場合にも、図７および図８に示したように、下地材３をタッカー止めする際に、タッカー４が打ち込まれる側の端部がパネル枠１に近寄ってしまい、隙間ｃを確保することが難しい。隙間ｃが消失してしまうと、下地材３が浮き上がったり、あるいは沈み込んだりすることになる。
【０００７】
特許文献１には、壁等の軸材または軸材に準ずる角状部材間に断熱材を敷設する際に使用される断熱材取り付け用治具が記載されているが、この断熱材取り付け用治具を用いても、断熱材と軸材または角状部材との間に隙間が形成されることはない。したがって、間仕切り壁パネルのパネル枠１に隙間ｃを開けて下地材３を固定することができ、下地材３の浮き沈みを防止することのできる技術手段の実現が望まれる。
【特許文献１】特開２００１−４０７９３号公報
【発明の開示】
【発明が解決しようとする課題】
【０００８】
本願発明は、以上の通りの事情に鑑みてなされたものであり、パネル枠から一定間隔を開けて下地材をパネル枠に固定することのできる間仕切りパネル製造治具とこの間仕切り壁パネル製造治具を用いて下地材をパネル枠に固定する間仕切り壁パネルの製造方法を提供することを課題としている。
【課題を解決するための手段】
【０００９】
本願発明は、上記の課題を解決するために、第１に、垂直片と水平片とが一端において連結された断面略Ｌ字型の形状を有するパネル枠引っ掛け部と、パネル枠引っ掛け部から前記垂直片に平行に垂設された隙間保持部と、パネル枠引っ掛け部の水平片に平行に配置された下地材押さえ部とを備えていることを特徴としている。
【００１０】
本願発明は、第２に、上記の特徴を有する間仕切り壁パネル製造治具を用いて下地材をパネル枠に固定する際に、パネル枠にパネル枠引っ掛け部を引っ掛けて配置し、下地材の端縁を隙間保持部に当接させ、隙間保持部をパネル枠と下地材とにより挟持するように下地材をパネル枠に配置し、パネル枠と下地材との間に隙間を形成させ、下地材の上に下地材押さえ部を配置して下地材を押さえ、間仕切り壁パネル製造治具を挟んだ両側においてタッカーを斜めに打ち込み、下地材をパネル枠に固定し、固定後、間仕切り壁パネル製造治具を取り外すことを特徴としている。
【発明の効果】
【００１１】
本願の第１および第２の発明によれば、パネル枠から一定間隔を確保し、位置ずれすることなく下地材をパネル枠に固定することができる。取り付けられる下地材が浮き沈みすることはない。
【発明を実施するための最良の形態】
【００１２】
図１は、本願発明の間仕切り壁パネル製造治具の一実施形態を示した斜視図である。
【００１３】
間仕切り壁パネル製造治具６は、パネル枠引っ掛け部７、隙間保持部８および下地材押さえ部９を備えている。図１に示した間仕切り壁パネル製造治具６は、図７に示したように、面材２が先に取り付けられたパネル枠１に下地材３を固定する際に用いられるものである。
【００１４】
パネル枠引っ掛け部７は、パネル枠１に引っ掛かる部位であり、垂直片１０と水平片１１とが一端において連結された断面略Ｌ字型の形状を有している。隙間保持部８は、パネル枠引っ掛け部７の垂直片１０との連結側でない水平片１１の一端から垂直片１０に平行に垂設されている。隙間保持部８は、パネル枠１と下地材３との間に一定の大きさの隙間ｃを形成することのできる厚みを有し、先端が、パネル枠１に取り付けられた面材２に接触するだけの高さを有している。また、隙間保持部８は、パネル枠引っ掛け部７の垂直片１０との間でパネル枠１を挟持することができるように、垂直片１０から離れている。下地材押さえ部９は下地材３を上から押さえる部位であり、パネル枠引っ掛け部７の水平片１１に平行に配置され、隙間保持部８の下端側に接続されている。下地材押さえ部９は、下地材３の厚み分隙間保持部８の下端から上方に位置している。
【００１５】
このような図１に示した間仕切り壁パネル製造治具６は、金具、樹脂成形品等とすることができ、一体成形等によって作製することができる。
【００１６】
図１に示した間仕切り壁パネル製造治具６を用いて下地材３をパネル枠１に固定する際には、図２に示したように、まず、下地材３をパネル枠１との間に隙間ｃが形成されるようにパネル枠１から離してパネル枠１の内部に挿入する。次いで、間仕切り壁パネル製造治具６をパネル枠１に被嵌する。垂直片１０をパネル枠１の側面に、水平片１１をパネル枠１の上面にそれぞれ当接させ、パネル枠引っ掛け部７をパネル枠１に引っ掛ける。この時、パネル枠１は、パネル枠引っ掛け部７の垂直片１０と隙間保持部８との間に挟持される。この後、下地材３の端縁をパネル枠１側に寄せ、パネル枠１と下地材３とによって隙間保持部８を挟み込む。下地材押さえ部９は、下地材３の厚み分隙間保持部８の下端から上方に位置するため、下地材３の上に密接し、下地材３を上方より押さえる。下地材３は、パネル枠１から隙間ｃ離れて面材２の上に面接触して安定に配置される。
【００１７】
そして、図３に示したように、間仕切り壁パネル製造治具６を挟んだ両側においてタッカー４を斜めに打ち込み、下地材３をパネル枠１に固定する。固定後には間仕切り壁パネル製造治具６を引き上げ、取り去る。下地材３は、パネル枠１から隙間ｃ離れてパネル枠１に固定される。隙間ｃの形成は間仕切り壁パネル製造治具６の使用により確実に形成され、タッカー止めする際に下地材３がパネル枠１に近寄ることはなく、下地材３の浮き沈みは生じない。
【００１８】
図４は、本願発明の間仕切り壁パネル製造治具の別の実施形態を示した斜視図である。
【００１９】
図４に示した間仕切り壁パネル製造治具６は、図８に示したように、先に下地材３をパネル枠１に固定し、その上に面材２を重ね合わせて取り付ける場合に用いられるものである。
【００２０】
図４に示した間仕切り壁パネル製造治具６も、図１に示した間仕切り壁パネル製造治具６を同様に、パネル枠引っ掛け部７、隙間保持部８および下地材押さえ部９を備えている。
【００２１】
パネル枠引っ掛け部７は、垂直片１０と水平片１１とが一端において連結された断面略Ｌ字型の形状を有している。隙間保持部８は、パネル枠引っ掛け部７の垂直片１０との連結側でない水平片１１の一端から垂直片１０に平行に垂設されている。隙間保持部８は、パネル枠１と下地材３との間に一定の大きさの隙間ｃを形成することのできる厚みを有しているが、高さは、図１に示した間仕切り壁パネル製造治具６の隙間保持部８よりも低くなっている。下地材押さえ部９は、パネル枠引っ掛け部７の水平片１１の垂直片１０との連結側でない一端から水平に延設されている。
【００２２】
このような図４に示した間仕切り壁パネル製造治具６もまた、金具、樹脂成形品などとすることができ、一体成形等によって作製することができる。
【００２３】
図４に示した間仕切り壁パネル製造治具６を用いて下地材３をパネル枠１に固定する際には、図５に示したように、まず、下地材３をパネル枠１との間に隙間ｃが形成されるようにパネル枠１から離して桁材５の上に載せる。次いで、間仕切り壁パネル製造治具６をパネル枠１に被嵌する。垂直片１０をパネル枠１の側面に、水平片１１をパネル枠１の上面にそれぞれ当接させ、パネル枠引っ掛け部７をパネル枠１に引っ掛ける。この時、パネル枠１は、パネル枠引っ掛け部７の垂直片１０と隙間保持部８との間に挟持される。この後、下地材３の端縁をパネル枠１側に寄せ、パネル枠１と下地材３とによって隙間保持部８を挟み込む。下地材押さえ部９は、パネル枠引っ掛け部７の水平片１１から延設されているため、下地材３の上に密接し、下地材３を上方より押さえる。下地材３は、パネル枠１から隙間ｃ離れて桁材５の上に安定に配置される。
【００２４】
そして、図６に示したように、間仕切り壁パネル製造治具６を挟んだ両側においてタッカー４を斜めに打ち込み、下地材３をパネル枠１に固定する。固定後には間仕切り壁パネル製造治具６を引き上げ、取り去る。下地材３は、パネル枠１から隙間ｃ離れてパネル枠１に固定される。隙間ｃの形成は間仕切り壁パネル製造治具６の使用により確実に形成され、タッカー止めする際に下地材３がパネル枠１に近寄ることはなく、下地材３の浮き沈みは生じない。
【図面の簡単な説明】
【００２５】
【図１】本願発明の間仕切り壁パネル製造治具の一実施形態を示した斜視図である。
【図２】図１に示した間仕切り壁パネル製造治具を用いて間仕切り壁パネルを製造する際の工程を示した要部断面図である。
【図３】図１に示した間仕切り壁パネル製造治具を用いて間仕切り壁パネルを製造する際の工程を示した要部斜視図である。
【図４】本願発明の間仕切り壁パネル製造治具の別の実施形態を示した斜視図である。
【図５】図４に示した間仕切り壁パネル製造治具を用いて間仕切り壁パネルを製造する際の工程を示した要部断面図である。
【図６】図４に示した間仕切り壁パネル製造治具を用いて間仕切り壁パネルを製造する際の工程を示した要部斜視図である。
【図７】間仕切り壁パネルの製造について示した要部断面図である。
【図８】間仕切り壁パネルの製造について示した要部断面図である。
【符号の説明】
【００２６】
１    パネル枠
２    面材
３    下地材
４    タッカー
５    桁材
６    間仕切り壁パネル製造治具
７    パネル枠引っ掛け部
８    隙間保持部
９    下地材押さえ部
１０    垂直片
１１    水平片
【図１】
2007118101.tif 000003
【図２】
2007118101.tif 000004
【図３】
2007118101.tif 000005
【図４】
2007118101.tif 000006
【図５】
2007118101.tif 000007
【図６】
2007118101.tif 000008
【図７】
2007118101.tif 000009
【図８】
2007118101.tif 000010